(57)【要約】【課題】縦型搬送路を有する装置の載置台に載置された原稿のシート束を、その２辺について整合する。【解決手段】シート載置台の下方位置にシート給送方向に互いに離間配置された角丸矩形の回転体がシート給送方向に回転することでシート束を上下に振動させつつ突き当て板に向けて原稿束を移動させる。その際、回転体と原稿束との当接部が下がる位相では、上る位相でよりも高速で回転体を回転させる。【選択図】図１
2014118272.tif 000002
【特許請求の範囲】
【請求項１】
シート束を載置するシート載置台と、
前記シート束を保持する保持手段と、
前記シート束の先端が突き当たる突き当て部と、
前記突き当て部材の方向に回転し、回転方向において前記シート載置台の面上に突出する突出部の高さが変化する回転体により、前記シート載置台の面上のシート束を前記シート載置台側から振動させながら前記突き当て部側へ移動させる整合手段と、を備え、
前記整合手段は、前記突出部の高さ変化に応じて前記回転体の回転速度を変更することを特徴とするシート整合装置。
【請求項２】
前記整合手段は、前記回転体を、前記突出部が下がって前記シート束が前記シート載置台に接するときを含む第１の時間帯、または、前記突出部が上がって前記シート束が前記回転体に接するときを含む第２の時間帯の少なくとも一方においては、それ以外の時間帯よりも高速で回転させることを特徴とする請求項１に記載のシート整合装置。
【請求項３】
前記整合手段は、前記シート載置台の面上に突出する前記突出部の高さが最も高い位置に到達するまでは前記回転体を低速で回転し、前記突出部の高さが最も高い位置に到達した後、前記回転体を高速で回転を行い、整合動作を行うことを特徴とする請求項１又は２に記載のシート整合装置。
【請求項４】
前記回転体は、回転の中心から外周までが一定距離ではない形状であり、且つ少なくとも前記突出部が最も下がった状態では、前記突出部は前記シート載置台の面上に突出しないことを特徴とする請求項１乃至３のいずれか１項に記載のシート整合装置。
【請求項５】
前記回転体は、角丸正方形であり、辺の部分が前記シート載置台と平行になる回転位相では、前記突出部となる角部が前記シート載置台の表面に突出しないことを特徴とする請求項４に記載のシート整合装置。
【請求項６】
前記回転体は、前記シート載置台の少なくとも２箇所に併設されることを特徴とする請求項１乃至３のいずれか一項に記載のシート整合装置。
【請求項７】
前記整合手段を動作させるための操作スイッチを更に備え、
前記保持手段は前記操作スイッチの操作前は原稿の載置量に応じた保持位置にあり、前記操作スイッチを操作すると前記整合手段は整合動作を開始し、前記整合手段の整合動作中、前記押圧手段が前記保持位置から移動して前記シート束への保持力を弱めることを特徴とする請求項１乃至６のいずれか一項に記載のシート整合装置。
【請求項８】
前記回転体と同じ角速度で回転する被検知部をさらに備え、
前記整合手段は、前記被検知部を検知手段により検知して前記回転体の回転位相を特定し、特定した回転位相に基づいて、前記突出部が下がって前記シート束が前記シート載置台に接するときを含む時間帯を特定することを特徴とする請求項１乃至７のいずれか一項に記載のシート整合装置。
【発明の詳細な説明】
【技術分野】
【０００１】
本発明は、スキャナ等の画像読取装置、或いはプリンタやファクシミリ、複写機等の画像形成装置等に搭載されるシート給送装置、及び該シート給送装置を備える画像読取装置に関する。
【背景技術】
【０００２】
従来、複写機、ファックス等に設けられる画像読取装置においては、シートを画像読取部に給送するためのシート給送装置を備えており、このようなシート給送装置の一例としては、シートである原稿を原稿読取部に給送するＡＤＦ（自動原稿給送装置）がある。
【０００３】
このようなＡＤＦ（自動原稿給送装置）において、原稿を読み取る際、ユーザは原稿載置台に原稿の先端を揃えてセットする必要がある。
【０００４】
しかし、このように先端を揃えてセットする際、原稿束の中にサイズの異なる原稿が含まれている場合、全ての原稿が先端を揃えた状態でセットされないことがあり、このような場合には、原稿を一枚ずつ分離搬送する際にジャムが発生したり、給排紙順が異なる等の問題を引き起こしていた。また、原稿がＭＩＣＲなどの磁気インク文字が書かれたものの場合、揃え状態が悪いと、読取部と磁気インク文字との相対位置関係を良好に保つことができず、正確な読み取りを行うことができないという問題が生じていた。
【０００５】
したがって、このような不具合を防止するため、ユーザは原稿束内の原稿サイズを確認しながら原稿揃えを行う必要があるが、この原稿揃えは煩わしく、またユーザが忘れる場合がある。
【０００６】
ところで、載置台に載置された原稿束を振動させながら原稿束の端部を揃える整合装置を備えるシート給送装置が提案されている（例えば、特許文献１参照）。
【０００７】
このシート給送装置は、複数枚の原稿からなる原稿束を立てた状態、すなわち原稿の重なり方向を略水平方向に向けた状態で載置される載置台を備える。原稿束の整合時には、載置台の下方位置にシート給送方向に互いに離間配置された断面矩形状の２つの回転体がシート給送方向に回転する。この回転体の回転動作により、該回転体の角隅部で原稿束を繰り返し持ち上げて原稿束を振動させ、原稿束の底面を揃える。
【０００８】
また、回転体の回転動作により、原稿束をシート給送方向へ徐々に搬送して、原稿束の先端を突き当て部に突き当てることで、原稿束の先端を揃える。
【０００９】
これにより、異なるサイズの小切手が含まれた小切手束を載置台に載置した場合でも各々の小切手を、シート台載置台に対して良好に揃えることができる。さらに、この小切手揃えの際に小切手間に空気層を作ることができ、小切手の捌きをも行うことができる。
【００１０】
このため、このような整合装置と同じ構成の整合装置をシート整合装置としてシート給送装置に搭載すれば、確実にシートである原稿を揃えることができ、ユーザが原稿を載置する際、逐一紙揃えを行う煩わしさが解消され、生産性を大きく向上させることができる。
【先行技術文献】
【特許文献】
【００１１】
【特許文献１】特許第４２６５７６３号明細書
【発明の概要】
【発明が解決しようとする課題】
【００１２】
ところで、このような従来のシート整合装置を備えたシート給送装置においては、原稿束を揃える際、載置台の下位置にシート給送方向に互いに離間配置された断面矩形状の2つの回転体が給送方向に回転することで、原稿束の底面を揃え原稿束の整合を行う。
【００１３】
ここで、前記回転体は、一定の速度で回転動作を行い、原稿束を一定間隔で振動させて整合を行うため、原稿束の振動動作が単調となり、原稿束の整合が完了するまでに比較的長い時間を要する。
【００１４】
そこで、本発明は、シート束の整合動作を行う際に、これまでより円滑に、かつ短時間にてシート束を確実に揃えることのできるシート整合装置、及び当該シート整合装置を備えたシート給送装置を提供することを目的とするものである。
【課題を解決するための手段】
【００１５】
本発明は、シート束を載置するシート載置台と、前記シート束を保持する保持手段と、前記シート束の先端が突き当たる突き当て部と、前記突き当て部材の方向に回転し、回転方向において前記シート載置台の面上に突出する突出部の高さが変化する回転体により、前記シート載置台の面上のシート束を前記シート載置台側から振動させながら前記突き当て部側へ移動させる整合手段と、を備え、前記整合手段は、前記突出部の高さ変化に応じて前記回転体の回転速度を変更することを特徴とするシート整合装置を提供する。
【発明の効果】
【００１６】
本発明によれば、シート束の整合を高精度且つ効率よく実施することができる。また、回転体とシートとの接触時間を長くすることによりシートを所定方向に前進させやすくし、突出する部分の高さが最も高い位置に到達した後、高速で回転を行うことにより、シートを短時間で揃えることができる。
【図面の簡単な説明】
【００１７】
【図１】本発明の第１の実施形態に係る原稿搬送装置の上視図。
【図２】原稿搬送装置の側面断面図。
【図３】原稿搬送装置の制御ブロック図。
【図４】原稿搬送装置に設けられた回転体の説明図。
【図５】本発明の第１の実施形態に係る動作説明図。
【発明を実施するための形態】
【００１８】
以下、本発明を実施するための形態を、図面を用いて詳細に説明する。但し、この実施の形態に記載されている構成部品の寸法、材質、形状、その相対配置等は、特に特定的な記載がないかぎりは、この発明の範囲をそれらのみに限定する趣旨のものではない。
【００１９】
図１は、本発明の第１の実施の形態に係るシート給送装置の一例である原稿搬送装置の上視図、図２はその側面断面図である。
【００２０】
図１及び図２において、１は不図示の画像読取装置に設けられた原稿搬送装置、２はシート束の一例である原稿束１３を立てた状態、即ち立姿勢で載置するシート載置台である原稿載置台であり、この原稿載置台２には、原稿束１３を立姿勢で保持し、かつばらけないよう原稿束１３を整合壁２Ａに押し付ける押圧手段である押圧板３が設けられている。押圧板３は、シート束に接する作用側端部とは反対側の端部付近に設けた支点を軸として、たとえばモータ等の駆動手段１８により回動する。この回動によりシート面側から原稿束１３を整合壁２Ａに対して押し付け、また、それを解除することができる。
【００２１】
ここで、原稿載置台２には、一度の原稿給送作業において、できるだけ多数の原稿１３ａを給送するべく原稿載置台２に入りきるだけの原稿１３ａを載置することもあれば、原稿載置台２の原稿載置可能容量に比べて極めて少ない量の原稿１３ａを処理する、といった様々な使用状況がある。
【００２２】
このため、これらの状況に柔軟に対応できるよう、押圧板３は、不図示の付勢手段により原稿載置台２の整合壁２Ａの方向に付勢されると共に、原稿１３ａを原稿載置台２に載置する際、載置される原稿１３ａの量に応じて図１の実線位置から二点鎖線の位置までの範囲内において移動できる構成になっている。なお、この押圧板３は、後述する原稿整合動作が開始される際、不図示の移動手段により原稿１３ａを押える位置から二点鎖線の位置まで移動するようになっている。
【００２３】
給紙ローラ５は原稿載置台２に載置された原稿１３ａを送り出すシート給送手段である。フィードローラ５１及びリタードローラ５２は、給紙ローラ５により送り出された原稿１３ａを１枚ずつ分離して下流側の不図示の画像読取部に搬送する分離搬送部を構成する。ここで、この給紙ローラ５は図１に示すように、整合壁２Ａから一部が突出した状態で配置されており、また図２に示すように、上下に移動可能に支持されている。
【００２４】
原稿突き当て部（単に突き当て部とも呼ぶ）２Ｂは、後述する原稿整合動作の際に原稿束１３が突き当たる原稿突き当て部である。シャッター４は給紙ローラ５と分離搬送部との間の原稿搬送路に出没自在に設けられ、このシャッター４は後述するように原稿束１３を整合する際、図２に示すように原稿載置台２の表面、すなわち原稿載置面２Ｃの下方の実線で示す位置から、二点鎖線で示す原稿束１３の先端が突き当たる位置まで突出するようになっている。
【００２５】
なお、突出したとき、シャッター４は原稿束１３に対して原稿突き当て部２Ｂと略同一面を形成するように構成されている。そして、このようにシャッター４を突出させることにより、整合動作の際、原稿１３ａが分離搬送部に入り込むことがないようにしている。
【００２６】
なお、シャッター４は、整合動作が終了した後、原稿１３ａを送り出す際には、図２の二点鎖線で示す突出位置から、原稿１３ａの送り出しを妨げない実線で示す搬送路から退避した原稿載置面２Ｃの下方位置に移動するようになっている。
【００２７】
回転体６ａ、６ｂは原稿端を揃えるために原稿送り出し方向に回転する整合手段である回転体である。この回転体６ａ，６ｂは回転した際、一部が原稿載置面２Ｃから突出するように構成されている。このように一部が原稿載置面２Ｃから突出しながら回転することにより、原稿載置面２Ｃに載置された原稿束１３を持ち上げた後、落下させることができると共に、原稿束１３を原稿突き当て部２Ｂ側に移動させ、先端を突き当て部２Ｂに突き当てることができるようになっている。本例では回転体６ａ，６ｂはともに角部が丸められた角丸の矩形、例えば角丸正方形であり、その辺が原稿載置面２Ｃと平行になった状態では、角部は原稿載置面２Ｃから突出しないように構成される。
【００２８】
そして、このように回転体６ａ，６ｂによって原稿束１３を持ち上げた後、落下させると共に、原稿束１３を原稿突き当て部２Ｂに突き当てることにより、言い換えれば原稿束１３を回転体６ａ，６ｂによって、所定時間連続的に上下方向に振動させると共に原稿給送方向に移動させて原稿突き当て部２Ｂに突き当てることにより、原稿束１３の先端及び底面を揃えることができる。
【００２９】
軸１０ａ、１０ｂは２つの回転体６ａ，６ｂの軸、プーリ８、９はこれらの軸１０ａ，１０ｂに固着されたプーリであり、この２つのプーリ８，９は、ベルト１１を介して連結されている。そして、これらプーリ８，９及びベルト１１により、図示しないギア列によって回転する一方の回転体６ａ，６ｂの回転が他方の回転体に伝達されるようになっている。
【００３０】
７ａ、７ｂは発光受光型センサ、１２ａ〜１２ｄは一方のプーリ９に形成された突出物であり、この突出物１２ａ〜１２ｄは、一方のプーリ９の回転に伴って回転し、１２ｅ〜１２ｈはもう一方のプーリ８に形成された突出物であり、この突出物１２ｅ〜１２ｈはもう一方のプーリ８の回転に伴って回転し、一方のプーリ９が１／４回転する毎に発光受光型センサ７ａを遮光する被検知部となっており、もう一方のプーリ８が１／４回転する毎に発光受光型センサ７ｂを遮光する被検知部となっている。すなわち、一方のセンサは回転体の突出部が原稿載置面２Ｃから突出していないタイミングで検出信号を出力し、他方のセンサは回転体の突出部が原稿載置面２Ｃから最大高で突出したタイミングで検出信号を出力する。これは回転体として矩形以外の形状、たとえば四角形以外の正多角形を用いた場合にも同様である。
【００３１】
ここで、これらのプーリ８、９と共に回転する突出物１２ａ〜１２ｈが発光受光型センサ７ａ、７ｂの光路を遮ると、後述する図３に示す制御部は、これに対応した発光受光型センサ７ａ、７ｂからの電気信号に基づき回転体６ａ，６ｂの回転位置（回転位相）を検知するようになっている。
【００３２】
なお、原稿搬送装置１が待機状態のとき、回転体６ａ，６ｂは図２に示すように原稿載置面２Ｃから突出せず、原稿載置面２Ｃの下方に退避した待機位置で静止している。また、このとき突出物１２ａ〜１２ｄは発光受光型センサ７ａの光路を遮らないようになっており、それに対して突出物１２ｅ〜１２ｈは発光受光型センサ７ｂの光路を遮るようになっており、これにより制御装置は、回転体６ａ，６ｂが待機位置にあると判断するようになっている。
【００３３】
なお、図３は原稿給送装置１の制御ブロック図であり、図３において、１００は操作部、１１０は原稿給送装置を制御する制御部（ＣＰＵ）、１２０は発光受光型センサ７ａ、７ｂを含むセンサ類、１３０は押圧板３やシャッター４、後述する給紙ローラ５等の各種可動部材を駆動するためのモータ類である。
【００３４】
このような構成の原稿搬送装置１は、操作部１００の操作スイッチが押圧されると、まず原稿端揃えの動作を行い、この後、端揃えされた複数枚の原稿１３ａを一枚ずつ分離給送して不図示の画像読取部に搬送するようになっている。
【００３５】
次に、このような原稿搬送装置１の原稿揃え動作及び原稿給送動作について説明する。
【００３６】
ユーザが複数枚の原稿１３ａを原稿載置台２に載置したときには、操作部１００の操作スイッチが押圧される操作前は、押圧板３は、原稿の載置量に応じた押圧位置にある。操作部１００の操作スイッチを押圧すると、制御部１１０は、まず押圧板３を、原稿束１３への押圧力を弱めるよう、即ち回転体６ａ，６ｂによる整合動作を妨げることのないよう移動手段（本実施形態例ではモータ１８）により図１の実線位置から二点鎖線で示す位置まで退避させる。これにより、原稿の整合動作中には原稿束への押圧力が弱められる。また、シャッター４を、原稿１３ａの搬送路を遮断するように図１の実線で示す位置に突出させる。
【００３７】
そして、このように押圧板３が退避すると共に、不図示の駆動用モータを起動して、図示しないギア列や、２つのプーリ８，９及びベルト１１を介して回転体６ａ，６ｂの回転を開始させる。このように回転体６ａ，６ｂが回転すると、図４に示すように、回転体６ａ，６ｂの一部である湾曲した４隅部６０〜６３のいずれかが原稿載置面２Ｃから順次突出して当接点Ｐ０で原稿束１３に当接してその底面を押し上げた後退避（図４では下降）する。
【００３８】
ここで、制御部１１０は、４隅部６０〜６３が順次突出する際、回転体６ａ、６ｂは、回転体と同軸で固定されたプーリ８，９それぞれの突出物１２ａ〜１２ｄおよび１２ｅ〜１２ｈによる発光受光型センサ７ａ、７ｂそれぞれの遮光状態（すなわち検知出力）をもとに回転の挙動を変化させる。
【００３９】
図５（ａ）に示すように、まず、回転体６ａ、６ｂが回転を開始する際に、発光受光型センサ７ａが突出物１２ａによって遮光されている位置で停止している。これが初期状態であり、また終了状態でもある。この状態では、回転体６ａ、６ｂの角部すなわち突出部が原稿載置面２Ｃより下方で待機した状態にある。この状態から、回転体６ａ、６ｂは制御部１１０によって低速で回転動作を開始する。そして発光受光型センサ７ｂが突出物１２ｅによって遮光される図５（ｂ）に示す状態まで低速での動作を継続する。なお回転体の回転中にも図５（ａ）の状態は当然にあり得る。その場合、すなわちセンサ７ａが遮光状態となったことを検知した場合には、回転体６ａ，６ｂの回転速度すなわち角速度を、低速にする。なお、低速とは、後述する「高速」に対する相対的な表現である。絶対的な速度はここでは特に限定しないが、たとえば実験的に決定することができる。
【００４０】
図５（ａ）の状態から回転体６ａ，６ｂが回転することにより、第１隅部６０が原稿載置台２から突出し始める。回転体６ａ，６ｂが原稿束１３に接触する点をＰ０とすると、回転体６ａ，６ｂが回転しながら点Ｐ０において原稿束１３と接触した後、原稿束１３は回転体６ａ，６ｂの回転に追従して原稿載置台２に対して垂直方向に持ち上げられ、かつ回転体６ａ，６ｂと原稿束１３との摩擦力により、水平方向に対して原稿給送方向である搬送路下流へ運ばれる。この際、回転体６ａ、６ｂを低速で回転させることにより、原稿束１３との摩擦力が強く働き、原稿束１３を搬送路下流へ確実に運ぶことが出来る。
【００４１】
この後、図５（ｂ）に示す状態から、センサ７ｂが遮光状態となると、制御部１１０は、回転体６ａ、６ｂは制御部１１０により、速度を変更し、高速で回転動作を行う。発光受光型センサ７ａが突出物１２ｂによって遮光されるまで高速での動作を継続する。
【００４２】
図５（ｂ）に示す状態は、第１隅部６０が原稿載置台２から最も離れた位置となり、この位置から、回転体６ａ、６ｂが高速で回転動作を行い、図５（ｃ）に示す状態となる。この時、回転体６ａ、６ｂが素早く原稿載置面２Ｃより下面に退避されることにより、原稿束１３は重力によって一気に原稿載置面２Ｃまで落下することになる。
【００４３】
上記動作を行うことにより、原稿束１３は回転体６ａ、６ｂの回転方向に追従して原稿載置面２Ｃから持ち上げられ、回転体６ａ、６ｂが原稿載置台２より退避すると、原稿束１３は原稿載置面２Ｃまで落下し、かつ搬送路下流に移動した状態となる。
【００４４】
このように、上記動作を前記４隅部６０〜６３にて行うことにより、回転体６ａ、６ｂの回転に伴い、原稿束１３は原稿端部が原稿突き当て部２Ｂに突き当たるまで搬送路下流に移動してゆく。
【００４５】
そして、このように原稿束１３を持ち上げた後、落下させるという振動動作を繰り返すことにより、原稿束１３は原稿載置面２Ｃに対して充分に整列されると共に、原稿間に発生している吸着力が取り除かれて各々の原稿の間に空気層が構成される。これにより、さばき動作が行われ、このさばき動作の効果によって、以後に行われる原稿１３ａの分離搬送動作を円滑に行うことができるようになる。また、原稿束１３が連続的に原稿突き当て部２Ｂ及びシャッター４に突き当たることにより、複数のサイズの原稿が混じっている場合でも、各々の原稿の先端を揃えることができる。
【００４６】
ところで、この後、全ての原稿１３ａが原稿突き当て部２Ｂ及びシャッター４及び原稿載置面２Ｃに対して充分に整列されうる時間だけ回転体６ａ，６ｂが回転し、前述の動作を所定の時間繰返すと、回転体６ａ，６ｂは前述した発光受光型センサ７ａによって検知される待機位置に停止するように、制御部１１０によって制御される。
【００４７】
例えば、制御部１１０は一方のプーリ９の突出物１２ａ，１２ｂにより反射型センサ７の光路が遮られた回数をカウントし、このカウント値が所定の値となったときに、回転体６ａ，６ｂの回転を停止すると共に、シャッター４を原稿載置台２から図２に実線で示したシャッター４の退避位置まで退避させる。これにより、原稿束の搬送路が形成される。ここで原稿端揃え動作が終了する。なお、このとき回転体６ａ，６ｂは図２に示すように原稿載置面２Ｃから退避した位置で停止する。
【００４８】
次に、このような原稿端揃え動作が終了すると、前述したように制御部１１０は原稿束の保持手段となる押圧板３を、原稿束を整合壁２Ａに対して押し付けるよう駆動し、給紙ローラ５、フィードローラ５１及びリタードローラ５２の駆動を開始して、給紙ローラ５によって原稿束１３を送り出す。フィードローラ５１及びリタードローラ５２により、送り出された原稿束から原稿が１枚ずつ分離されて搬送される。そして、すべての原稿が原稿載置台２から搬送された後に全ての、このシート給送部の動作を終了する。なおシート給装部の前述したシート束の整合機能にのみ着目して、これをシート整合装置と称することもできる。
【００４９】
このように、原稿束１３を原稿載置台２に立てた状態で載置した後、回転体６ａ、６ｂの回転速度に変化を持たせて所定時間連続的に上下方向に振動させると共にシート給送方向に移動させて原稿突き当て部２Ｂ及びシャッター４に突き当てることにより、原稿束１３の端揃えを短時間でかつ簡単な構成で行うことができ、また、原稿搬送装置（シート給送装置）の小型、軽量、省スペース化が可能となると共に、コストアップを招くことなく装置を安価に構成することができる。さらに、回転体６を、その突部が原稿に接してから最高点に達するまでを低速で、そこから原稿が原稿載置台２に達するまでの高速で回転させることで、回転体６と原稿との摩擦を利用した横方向の整合を確実に、原稿に与える上下の振動、すなわち、動力を利用した縦方向の整合を迅速に行うことができる。
【００５０】
また、本実施形態では、回転体６の突出部がシート束の底面に接しつつ回転している回転角のうち、後半の回転角の範囲における回転速度を、前半の回転角の範囲における回転速度よりも高速で行うものとして説明した（図４参照）。しかしながら、本発明の本質を考えれば、本発明はこの実施形態にのみ限られるものではない。例えば、本実施形態では回転体６と原稿束１３との接点が最も高い位置あるいはその直前で速度を切り替えているが、速度を切り替える位置はここには限られず、多少前後にずれていてもよい。原稿束１３が原稿載置台２に落下する時の速度が大きく、また、回転体６が原稿束１３を横方向に移動させる速度は小さいことが肝要である。つまり、回転体の形態に応じて、すなわち、回転体が原稿載置台２の面上に突出する突出部の突出量とその形状、あるいは突出部の表面粗さ等を考慮して、回転体の回転速度を調整し、原稿束１３の整合動作を効率よく、しかも高精度に実行することが望ましい。
【００５１】
また、図４において、原稿束１３を整合する際に、横方向へ原稿束１３を整合することのみを考えれば、接点Ｐ０において回転体６が滑らないように回転体６を低速で駆動し、縦方向へ原稿束１３を整合することのみを考えれば、原稿束１３に印加する振動の周波数を上げるために回転体６を高速で駆動することが望ましい。本実施形態の構成及び動作はこれを両立するための一例である。このほか、例えば、本実施形態とは逆に、回転体６の突出部がシート束の底面に接しつつ回転している回転角のうち、前半の回転角の範囲における回転速度を、後半の回転角の範囲における回転速度よりも高速で行うようにしてもよい。また前半と後半とに区別せず、回転体６の突出部がシート束の底面に接しつつ回転している回転角のうち、当接し始める一定の範囲（時間に換算すれば第１の時間帯）と、当接が解除される一定の範囲（第２の時間帯）とにおける回転速度を、そのほかの回転角の範囲（それ以外の時間帯）における回転速度よりも高速で行うようにしてもよい。この場合には、回転速度を切り替えるタイミングは、センサ７ａ、７ｂによる遮光検出のタイミングとは一致していないが、センサ７ａで遮光が検出されてからの一定時間を高速で駆動し、そこからさらに一定時間経過までを低速で駆動し、そこからセンサ７ｂで遮光が検出さるまでを再度高速で駆動するようにしてもよい。
【００５２】
あるいは、回転体の回転速度をその位相によって切り替えず、複数の回転体たとえば２箇所に回転体６ａ、６ｂがあるならば、回転体ごとに変えるという方法もある。例えば、図１の回転体６ａを高速で駆動し、回転体６ｂをそれよりも低速で駆動する。一定時間それを行ったなら、次に回転体６ａを低速で駆動し、回転体６ｂを高速で駆動する。このように構成することで、高速側の回転体が滑っても、低速側の回転体により原稿束を水平方向に整合させることができる。  また回転体６は、一般的には回転の中心から外周までの処理が一定距離でないような形状を採用できる。ただし、突出部が下がった状態で、シート束が原稿載置台２に接することが望ましい。多角形であれば、辺の部分が原稿載置面と平行になった状態で、原稿載置面に回転体６が突出しない態様に構成されるのが望ましい。
【００５３】
また、整合動作の開始のために操作ボタンを設けたことで、整合動作の実行を選択可能にすることにより、例えば同じサイズの原稿を載置した場合等、原稿を整合させる必要のない場合には、直ちに原稿給送動作を行うことができる。また、ユーザが原稿束を保管若しくは運搬のために予め充分に端揃えを行いたい場合には、整合動作のみを行うことができ、効率がアップする。
【符号の説明】
【００５４】
１          原稿搬送装置
２          原稿載置台
２Ａ        整合壁
２Ｂ        原稿突き当て部
２Ｃ        原稿載置面
３          押圧板
４          シャッター
５          給紙ローラ
６ａ，６ｂ  回転体
７          発光受光型センサ
１３        原稿束
１３ａ      原稿
１４        動作条件設定部
１５        ＣＰＵ
１６        動作条件記憶部
１７        整合部
１８        原稿積載量検出部
５１        フィードローラ
５２        リタードローラ
１００      操作部
１１０      制御部（ＣＰＵ）
【図１】
2014118272.tif 000003
【図２】
2014118272.tif 000004
【図３】
2014118272.tif 000005
【図４】
2014118272.tif 000006
【図５】
2014118272.tif 000007